(57)【要約】【課題】好適に消費電力の低減を図ることのできる通信装置及び通信方法を提供する。【解決手段】ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継するモバイルルータ１００であって、無線によりＷＡＮで通信可能な複数の無線ＷＡＮ通信部１０７と、消費電力の異なる複数の通信モードにより、ＬＡＮで通信可能なＬＡＮ通信部１０１又は無線ＬＡＮ通信部１０３と、接続中の無線ＷＡＮ通信部１０７に応じて、ＬＡＮ通信部１０１又は無線ＬＡＮ通信部１０３の通信モードを変化させる装置制御部１０５とを備える。【選択図】図１
2013191975.tif 000002
【特許請求の範囲】
【請求項１】
ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置であって、
無線によりＷＡＮで通信可能な複数の無線ＷＡＮ通信手段と、
消費電力の異なる複数の通信モードにより、ＬＡＮで通信可能なＬＡＮ通信手段と、
複数の前記無線ＷＡＮ通信手段のうち接続中の前記無線ＷＡＮ通信手段に応じて、前記ＬＡＮ通信手段の通信モードを変化させる制御手段と
を備える通信装置。
【請求項２】
前記複数の通信モードは、それぞれ送信出力電圧が異なる、
請求項１記載の通信装置。
【請求項３】
前記複数の通信モードは、使用する周波数帯域幅が異なる、
請求項１又は請求項２記載の通信装置。
【請求項４】
ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置であって、
無線によりＷＡＮで通信可能な無線ＷＡＮ通信手段と、
消費電力の異なる複数の通信モードにより、ＬＡＮで通信可能なＬＡＮ通信手段と、
前記無線ＷＡＮ通信手段の通信速度に応じて、前記ＬＡＮ通信手段の通信モードを変化させる制御手段と
を備える通信装置。
【請求項５】
前記複数の通信モードは、それぞれ送信出力電圧が異なる、
請求項４記載の通信装置。
【請求項６】
前記複数の通信モードは、使用する周波数帯域幅が異なる、
請求項４又は請求項５記載の通信装置。
【請求項７】
ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置の通信方法であって、
無線によりＷＡＮで通信可能な複数の無線ＷＡＮ通信部のうち接続中の前記無線ＷＡＮ通信部に応じて、消費電力の異なる複数の通信モードによりＬＡＮで通信可能なＬＡＮ通信部の通信モードを変化させる、
通信方法。
【請求項８】
ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置の通信方法であって、
無線によりＷＡＮで通信可能な無線ＷＡＮ通信部の通信速度に応じて、消費電力の異なる複数の通信モードによりＬＡＮで通信可能なＬＡＮ通信部の通信モードを変化させる、
通信方法。
【発明の詳細な説明】
【技術分野】
【０００１】
本発明に係るいくつかの態様は、通信装置及び通信方法に関する。
【背景技術】
【０００２】
近年、無線ＷＡＮへの接続機能を有することにより、ＬＡＮ側の通信と無線ＷＡＮ側の通信とを中継する機能を持つ通信装置であるモバイルルータが普及しつつある。現在、通信速度や接続エリアの異なる複数の無線ＷＡＮの通信方式があるが、１つのモバイルルータで複数の無線ＷＡＮ通信方式に対応していることも多い。
【０００３】
例えば特許文献１には、無線ＬＡＮインタフェース、３Ｇ／３．５Ｇ携帯電話インタフェース、及びＷｉＭＡＸインタフェースの３つのインタフェースによりＷＡＮ側で通信可能であると共に、ＬＡＮ側でも無線ＬＡＮにより通信可能である無線中継装置が開示されている。
【０００４】
ここで、モバイルルータにおける通信は、殆どがインターネットアクセス用なので、ＷＡＮ側で使用する通信速度とＬＡＮ側で使用する通信速度とは、ほぼ同等となるのが通常である。つまり、低速なＷＡＮ側の通信回線へ接続した場合には、ＬＡＮ側もそれに見合った通信速度で十分である。
【先行技術文献】
【特許文献】
【０００５】
【特許文献１】特開２０１０−０２１８７８号公報
【発明の概要】
【発明が解決しようとする課題】
【０００６】
しかしながら実際には、低速なＷＡＮ側の通信回線へ接続した場合であっても、ＬＡＮ側は消費電力の大きな高速モードで動作することが多い。近年の通信速度の高速化に伴い通信装置が必要とする消費電力が増加しているので、特にバッテリ駆動のモバイルルータでは、このような消費電力を抑えることが望まれている。
【０００７】
特許文献１には、ＷＡＮ側において複数の通信インタフェースが圏内状態の場合に、消費電力の少ない通信インタフェース部を選択すること、等は開示されている。しかしながら、ＬＡＮ側での消費電力の低減については、何ら考慮されていない。また、特許文献１には、ＬＡＮ側の無線ＬＡＮインタフェースと、ＷＡＮ側で選択された通信インタフェースとの最大通信速度及び時間平均の通信速度に応じて、ＬＡＮ側の無線ＬＡＮ通信インタフェースのスリープ時間を算出することも開示されている。しかしながら、スリープさせてしまうと、その間は受信も不可となってしまうため、ユーザの利便性を損なう。
【０００８】
本発明のいくつかの態様は前述の課題に鑑みてなされたものであり、好適に消費電力の低減を図ることのできる通信装置及び通信方法を提供することを目的の１つとする。
【課題を解決するための手段】
【０００９】
本発明の１つの通信装置は、ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置であって、無線によりＷＡＮで通信可能な複数の無線ＷＡＮ通信手段と、消費電力の異なる複数の通信モードにより、ＬＡＮで通信可能なＬＡＮ通信手段と、複数の前記無線ＷＡＮ通信手段のうち接続中の前記無線ＷＡＮ通信手段に応じて、前記ＬＡＮ通信手段の通信モードを変化させる制御手段とを備える。
【００１０】
本発明の１つの通信装置は、ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置であって、無線によりＷＡＮで通信可能な無線ＷＡＮ通信手段と、消費電力の異なる複数の通信モードにより、ＬＡＮで通信可能なＬＡＮ通信手段と、前記無線ＷＡＮ通信手段の通信速度に応じて、前記ＬＡＮ通信手段の通信モードを変化させる制御手段とを備える。
【００１１】
本発明の１つの通信方法は、ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置の通信方法であって、無線によりＷＡＮで通信可能な複数の無線ＷＡＮ通信部のうち接続中の前記無線ＷＡＮ通信部に応じて、消費電力の異なる複数の通信モードによりＬＡＮで通信可能なＬＡＮ通信部の通信モードを変化させる。
【００１２】
本発明の１つの通信方法は、ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置の通信方法であって、無線によりＷＡＮで通信可能な無線ＷＡＮ通信部の通信速度に応じて、消費電力の異なる複数の通信モードによりＬＡＮで通信可能なＬＡＮ通信部の通信モードを変化させる。
【００１３】
尚、本発明において、「部」や「手段」、「装置」とは、単に物理的手段を意味するものではなく、その「部」や「手段」、「装置」が有する機能をソフトウェアによって実現する場合も含む。また、１つの「部」や「手段」、「装置」が有する機能が２つ以上の物理的手段や装置により実現されても、２つ以上の「部」や「手段」、「装置」の機能が１つの物理的手段や装置により実現されても良い。
【発明の効果】
【００１４】
本発明によれば、好適に消費電力の低減を図ることのできる通信装置及び通信方法を提供することができる。
【図面の簡単な説明】
【００１５】
【図１】第１の実施形態に係るモバイルルータの概略構成を示す機能ブロック図である。
【図２】図１に示したモバイルルータの処理の流れを示すフローチャートである。
【図３】第２の実施形態に係るモバイルルータの概略構成を示す機能ブロック図である。
【図４】図３に示したモバイルルータの処理の流れを示すフローチャートである。
【発明を実施するための形態】
【００１６】
以下に本発明の実施形態を説明する。以下の説明及び参照する図面の記載において、同一又は類似の構成には、それぞれ同一又は類似の符号が付されている。
【００１７】
（１  第１の実施形態）
以下、図１及び図２を参照しながら、第１の実施形態について説明する。「１．１」で概要を、「１．２」で機能構成を、「１．３」で処理の流れを説明し、最後に「１．４」で本実施形態に係る効果を説明する。
【００１８】
（１．１  概要）
まず、図１を参照しながら、本実施形態の概要を説明する。図１は、本実施形態に係る通信装置であるモバイルルータ１００を含む通信システムの機能構成を示す機能ブロック図である。
【００１９】
図１に示すとおり、本実施形態に係る通信システムは、モバイルルータ１００と、無線ＷＡＮ（Ｗｉｄｅ  Ａｒｅａ  Ｎｅｔｗｏｒｋ）基地局２００（以下、無線ＷＡＮ基地局２００Ａ乃至２００Ｃを総称して「無線ＷＡＮ基地局２００」ともいう。）と、ＰＣ（Ｐｅｒｓｏｎａｌ  Ｃｏｍｐｕｔｅｒ）３００とを含む。この中でモバイルルータ１００は、ＰＣ３００とインターネットＮ上の各情報処理装置との間の通信を中継する通信装置（中継装置）であり、図示しないバッテリにより駆動する。
【００２０】
モバイルルータ１００は、通信速度や通信可能エリア等の異なる複数の無線通信方式によりＷＡＮ側で無線ＷＡＮ基地局２００と通信可能（以下、モバイルルータ１００と無線ＷＡＮ基地局２００との間の通信を「無線ＷＡＮ通信」ともいう。）であり、更に、無線ＷＡＮ基地局２００を介してインターネットＮへ接続可能である。
【００２１】
また、モバイルルータ１００は、有線若しくは無線により、ＬＡＮ（Ｌｏｃａｌ  Ａｒｅａ  Ｎｅｔｗｏｒｋ）側のＰＣ３００（以下、ＰＣ３００Ａ及びＰＣ３００Ｂを総称して「ＰＣ３００」ともいう。）と通信可能である。より具体的には、モバイルルータ１００は、有線ＬＡＮによりＰＣ３００Ａと、無線ＬＡＮによりＰＣ３００Ｂと通信可能である。
【００２２】
ここで、モバイルルータ１００は、無線ＬＡＮ及び有線ＬＡＮの通信において、消費電力や通信速度の異なる複数の通信モードに対応する。これらの通信モードは、例えば無線ＬＡＮにおいては、無線送信出力電圧や周波数帯域幅がそれぞれ異なるものであり、有線ＬＡＮにおいては、通信速度がそれぞれ異なるものである。本実施形態に係るモバイルルータ１００は、無線ＷＡＮ側の無線ＷＡＮ通信で使用する通信方式（通信回線）に応じて、ＬＡＮ側の通信である無線ＬＡＮや有線ＬＡＮの通信モードを変化させる。
【００２３】
より具体的には、ＷＡＮ側の通信回線が通信速度の低い回線であれば、モバイルルータ１００は、ＬＡＮ側の通信モードをＷＡＮ側と同等以上の通信速度を確保できる通信モードの中で最も消費電力の低い通信モードに切り換える。このようにモバイルルータ１００は、ＷＡＮ側の通信回線速度に応じてＬＡＮ側の通信回線の省電力の通信モードに切り換えることで、システム全体の消費電力の好適な低減を実現している。
【００２４】
尚、本実施形態のモバイルルータ１００は、有線ＬＡＮ及び無線ＬＡＮの双方に対応しているがこれに限られるものではなく、その片方のみに対応しても良い。また、本実施形態において、モバイルルータ１００は２台のＰＣ３００とＬＡＮ側で通信可能であるが、これに限られるものではなく、１台若しくは３台以上と接続可能であっても良い。接続機器も、ＬＡＮで通信可能な情報処理装置であれば、ＰＣでなくともいわゆるスマートフォンと呼ばれる携帯電話やテレビ、レコーダ等の装置であっても良い。
更に、ＷＡＮ側においても、３つの無線ＬＡＮ通信方式に限らず、２若しくは４以上の無線ＷＡＮ通信方式にモバイルルータ１００が対応しても良い。
【００２５】
（１．２  機能構成）
以下、続けて図１を参照しながら、モバイルルータ１００の機能構成を説明する。前述のとおり、モバイルルータ１００は、ＰＣ３００とインターネットＮ上の各情報処理装置との間の通信を中継する通信装置（中継装置）である。モバイルルータ１００は、ＷＡＮ側において無線ＷＡＮ基地局２００と、ＬＡＮ側においてＰＣ３００と通信可能である。
【００２６】
モバイルルータ１００は、ＬＡＮ通信部１０１、無線ＬＡＮ通信部１０３、装置制御部１０５、無線ＷＡＮ通信部１０７（無線ＷＡＮ通信部１０７Ａ（無線ＷＡＮ通信部Ａ）乃至無線ＷＡＮ通信部１０７Ｃ（無線ＷＡＮ通信部Ｃ）を総称して「無線ＷＡＮ通信部１０７」ともいう。）を含む。
【００２７】
ＬＡＮ通信部１０１は、有線ＬＡＮによりＰＣ３００Ａと通信可能な通信インタフェースモジュールである。ＬＡＮ通信部１０１は、通信速度の異なる複数の通信モードに対応しており、これらの通信モードは、通信速度の違いに応じて消費電力も異なる。
【００２８】
無線ＬＡＮ通信部１０３は、無線ＬＡＮによりＰＣ３００Ｂと通信可能な通信インタフェースモジュールである。無線ＬＡＮ通信部１０３は、周波数帯域幅や送信出力電圧（この一方でも良い）の異なる複数の通信モードに対応しており、これらの通信モードは、周波数帯域幅や送信出力電圧の違いに応じて消費電力も異なる。
【００２９】
本実施形態では、ＬＡＮ通信部１０１及び無線ＬＡＮ通信部１０３は、通信速度が早く消費電力の大きい高速通信モードと、通信速度が遅く消費電力の小さい低速通信モードとに対応するものとする。
【００３０】
装置制御部１０５は、ＬＡＮ通信部１０１及び無線ＬＡＮ通信部１０３からのデータをルーティングし、無線ＷＡＮ通信部１０７を介してＷＡＮ側と通信する。また、装置制御部１０５は、無線ＷＡＮ通信部１０７の無線ＷＡＮ通信部１０７Ａ乃至１０７Ｃの中から、使用する無線ＷＡＮ通信部１０７を選択して（通信回線を選択して）無線ＷＡＮ基地局２００に接続させる制御も行う。
【００３１】
無線ＷＡＮ通信部１０７Ａ乃至１０７Ｃは、それぞれ無線ＷＡＮ基地局２００Ａ乃至２００Ｃと通信可能であり、それぞれ使用する通信方式が異なることから通信速度や通信エリアも異なる。本実施形態では、無線ＷＡＮ通信部１０７Ａが高速回線、無線ＷＡＮ通信部１０７Ｂが中速回線、無線ＷＡＮ通信部１０７Ｃが低速回線に対応しているものとする。
【００３２】
（１．３  処理の流れ）
以下、図２を参照しながら、本実施形態に係るモバイルルータ１００の処理の流れを説明する。図２は、本実施形態にかかるモバイルルータ１００の処理の流れを示すフローチャートである。
【００３３】
尚、後述の各処理ステップは、処理内容に矛盾を生じない範囲で、任意に順番を変更して若しくは並列に実行することができ、また、各処理ステップ間に他のステップを追加しても良い。更に、便宜上１つのステップとして記載されているステップは複数のステップに分けて実行することもでき、便宜上複数に分けて記載されているステップを１ステップとして実行することもできる。
【００３４】
まず、装置制御部１０５は、無線ＷＡＮ通信部１０７Ａ乃至１０７Ｃの中から、使用する１つの無線ＷＡＮ通信部１０７を選択（通信回線を選択）して無線ＷＡＮ基地局２００と接続させる（Ｓ２０１）。当該選択した通信回線が低速回線（無線ＷＡＮ通信部１０７Ｃ）である場合には（Ｓ２０３のＹｅｓ）、装置制御部１０５は、ＬＡＮ通信部１０１及び無線ＬＡＮ通信部１０３の通信モードを消費電力の低い低速通信モードとする（Ｓ２０５）。一方、選択した通信回線が高速回線（無線ＷＡＮ通信部１０７Ａ）である場合には（Ｓ２０３のＮｏ）、装置制御部１０５は、ＬＡＮ通信部１０１及び無線ＬＡＮ通信部１０３の通信モードを高速通信モードとする（Ｓ２０７）。
【００３５】
（１．４  本実施形態に係る効果）
以上説明したように、本実施形態に係るモバイルルータ１００は、接続したＷＡＮ側回線の回線速度に応じてＬＡＮ通信部１０１及び無線ＬＡＮ通信部１０３をＷＡＮ側回線にあった通信モードに変更することで、特に低速回線接続時における無駄な消費電力を低減することができる。また、ＷＡＮ側の通信回線での通信速度と同等以上の通信速度が得られる通信モードをＬＡＮ側で選択することで、ＰＣ３００とインターネットＮとの間の通信速度を犠牲にせずにすむ。更に、ＬＡＮ通信部１０１や無線ＬＡＮ通信部１０３がスリープすることもないため、常に送受信が可能となっている。
【００３６】
（２  第２の実施形態）
以下、図３及び図４を参照しながら、第２の実施形態について説明する。尚、本実施形態の説明において、第１の実施形態と同様の構成については同じ符号を付すと共に説明を省略する。また、第１の実施形態と同様の作用効果についても、説明を省略している。
【００３７】
（２．１  概要）
第１の実施形態では、使用する無線ＷＡＮ通信部１０７に応じて（通信回線に応じて）ＬＡＮ側の通信モードを決定していたが、本実施形態では、ＷＡＮ側回線に実際に流れるデータのスループットを計測し、そのスループット情報を元に、ＬＡＮ側回線の通信モードを切り換える。
【００３８】
（２．２  機能構成）
図３は、本実施形態に係る通信装置であるモバイルルータ１００を含む通信システムの機能構成を示す機能ブロック図である。本実施形態に係るモバイルルータ１００は、スループット計測部１０９を備える点が、第１の実施形態に係るモバイルルータ１００と異なる。スループット計測部１０９は、ＷＡＮ側回線に実際に流れるデータのスループットを計測する機能を有する。装置制御部１０５は、当該スループット計測部１０９が計測したスループットの大小に応じて（例えば、閾値よりも大きいか小さいかに応じて）、ＬＡＮ通信部１０１及び無線ＬＡＮ通信部１０３の通信モードを切り換える。
【００３９】
（２．３  処理の流れ）
以下、図４を参照しながら、本実施形態に係るモバイルルータ１００の処理の流れを説明する。図４は、本実施形態に係るモバイルルータ１００の処理の流れを示すフローチャートである。
【００４０】
尚、後述の各処理ステップは、処理内容に矛盾を生じない範囲で、任意に順番を変更して若しくは並列に実行することができ、また、各処理ステップ間に他のステップを追加しても良い。更に、便宜上１つのステップとして記載されているステップは複数のステップに分けて実行することもでき、便宜上複数に分けて記載されているステップを１ステップとして実行することもできる。
【００４１】
まず、装置制御部１０５は、無線ＷＡＮ通信部１０７Ａ乃至１０７Ｃの中から、使用する１つの無線ＷＡＮ通信部１０７を選択して無線ＷＡＮ基地局２００と接続させる（Ｓ４０１）。そして、スループット計測部１０９は、ＷＡＮ側回線に実際に流れるデータのスループットを計測する（Ｓ４０３）。その結果、計測したスループットが閾値以下である場合には（Ｓ４０５のＹｅｓ）、装置制御部１０５は、ＬＡＮ通信部１０１及び無線ＬＡＮ通信部１０３の通信モードを消費電力の低い低速通信モードとする（Ｓ４０７）。一方、スループットが閾値より大きい場合には（Ｓ４０５のＮｏ）、装置制御部１０５は、ＬＡＮ通信部１０１及び無線ＬＡＮ通信部１０３の通信モードを高速通信モードとする。
【００４２】
（２．４  本実施形態に係る効果）
以上説明したように、本実施形態に係るモバイルルータ１００は、回線速度ではなく、ＷＡＮ側回線に流れるデータのスループットを計測し、そのスループットの情報を元に、ＬＡＮ側回線の通信モードを切り換える。これにより、高速なＷＡＮ回線に接続して且つ実際のスループットが低速な場合等であっても、ＬＡＮ通信部１０１及び無線ＬＡＮ通信部１０３に係る電力消費を低減することが可能となる。
【００４３】
（３  付記事項）
尚、前述の各実施形態の構成は、組み合わせたり或いは一部の構成部分を入れ替えたりしてもよい。また、本発明の構成は前述の実施形態のみに限定されるものではなく、本発明の要旨を逸脱しない範囲内において種々変更を加えてもよい。
尚、前述の各実施形態の一部又は全部は、以下の付記のようにも記載されうるが、以下には限られない。
【００４４】
（付記１）
ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置であって、無線によりＷＡＮで通信可能な複数の無線ＷＡＮ通信手段と、消費電力の異なる複数の通信モードにより、ＬＡＮで通信可能なＬＡＮ通信手段と、複数の前記無線ＷＡＮ通信手段のうち接続中の前記無線ＷＡＮ通信手段に応じて、前記ＬＡＮ通信手段の通信モードを変化させる制御手段とを備える通信装置。
【００４５】
（付記２）
前記複数の通信モードは、それぞれ送信出力電圧が異なる、付記１記載の通信装置。
【００４６】
（付記３）
前記複数の通信モードは、使用する周波数帯域幅が異なる、付記１又は付記２記載の通信装置。
【００４７】
（付記４）
ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置であって、無線によりＷＡＮで通信可能な無線ＷＡＮ通信手段と、消費電力の異なる複数の通信モードにより、ＬＡＮで通信可能なＬＡＮ通信手段と、前記無線ＷＡＮ通信手段の通信速度に応じて、前記ＬＡＮ通信手段の通信モードを変化させる制御手段とを備える通信装置。
【００４８】
（付記５）
前記複数の通信モードは、それぞれ送信出力電圧が異なる、付記４記載の通信装置。
【００４９】
（付記６）
前記複数の通信モードは、使用する周波数帯域幅が異なる、付記４又は付記５記載の通信装置。
【００５０】
（付記７）
ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置の通信方法であって、無線によりＷＡＮで通信可能な複数の無線ＷＡＮ通信部のうち接続中の前記無線ＷＡＮ通信部に応じて、消費電力の異なる複数の通信モードによりＬＡＮで通信可能なＬＡＮ通信部の通信モードを変化させる、通信方法。
【００５１】
（付記８）
ＬＡＮ（Ｌｏｃａｌ  Ａｒｅａ  Ｎｅｔｗｏｒｋ）側の通信とＷＡＮ（Ｗｉｄｅ  Ａｒｅａ  Ｎｅｔｗｏｒｋ）側の通信とを中継する通信装置の通信方法であって、無線によりＷＡＮで通信可能な無線ＷＡＮ通信部の通信速度に応じて、消費電力の異なる複数の通信モードによりＬＡＮで通信可能なＬＡＮ通信部の通信モードを変化させる、通信方法。
【符号の説明】
【００５２】
１００・・・モバイルルータ、１０１・・・ＬＡＮ通信部、１０３・・・無線ＬＡＮ通信部、１０５・・・装置制御部、１０７・・・無線ＷＡＮ通信部、１０９・・・スループット計測部、２００・・・無線ＷＡＮ基地局、３００・・・ＰＣ、Ｎ・・・インターネット
【図１】
2013191975.tif 000003
【図２】
2013191975.tif 000004
【図３】
2013191975.tif 000005
【図４】
2013191975.tif 000006